(57)【要約】      （修正有）【課題】着座者に対する利便性を向上する腰掛を提供する。【解決手段】ソファー１０は、恒温庫３０を備えており、恒温庫３０は、収容対象物を収容する収容室３４と、作動することで収容室３４内の温度を所定の温度に保つための恒温器３６と、を含んで構成されている。すなわち、ソファー１０及び恒温庫３０が、相対移動不能に構成され、恒温庫３０がソファー１０に対して常に近接した位置に配置されている。このため、ソファー１０が任意の位置に配置された場合でも、ソファー１０に着座した着座者が、収容室３４内から飲料品などの収容対象物を取出すことができる。これにより、着座者に対する利便性を向上することができる。【選択図】図１
0003208089.tif 000002
【実用新案登録請求の範囲】
【請求項１】
着座者の尻部を支持する座部と、
前記座部の後側に設けられ、着座者の背部を支持する背凭れ部と、
収容対象物を収容する収容室と、作動することで前記収容室内の温度を所定の温度に保つための恒温器と、を含んで構成された恒温庫と、
を備えた腰掛。
【請求項２】
前記恒温庫が、前記座部の下側に配置され、
前記収容室が、前方側へ移動可能に構成されると共に、上方側へ開放された箱状に形成されている請求項１に記載の腰掛。
【請求項３】
前記座部の幅方向外側には、着座者の肘部を支持する肘掛部が設けられており、前記肘掛部の上部には、前記恒温庫を冷蔵庫又は保温庫として機能させるかを選択する選択ボタンが設けられている請求項１又は請求項２に記載の腰掛。
【請求項４】
前記肘掛部の上部には、飲料用容器を保持するカップホルダが設けられており、前記カップホルダの底部が、冷却機能及び保温機能の少なくとも一方の機能を有するコースタによって構成されている請求項３に記載の腰掛。
【請求項５】
前記肘掛部には、作動することで前記カップホルダを上下に昇降させる昇降機構が設けられている請求項４に記載の腰掛。
【請求項６】
前記昇降機構は、
回転軸にピニオンが固定されたモータと、
前記カップホルダと相対移動不能に設けられ、前記ピニオンと噛合されたラックと、
前記肘掛部の上部に設けられ、前記モータを作動させるための操作ボタンと、
を含んで構成されており、
前記肘掛部の上部には、前記カップホルダと前記操作ボタンとの間を仕切る仕切壁が設けられている請求項５に記載の腰掛。
【請求項７】
前記肘掛部の上部には、前記コースタを冷却機能又は保温機能に切換える切換ボタンが設けられると共に、前記切換ボタン、前記選択ボタン、及び前記操作ボタンが、前記カップホルダの後側に配置され、
肘掛部の上部には、カップホルダを上方側から覆う第１カバーと、前記切換ボタン、前記選択ボタン、及び前記操作ボタンを上方側から覆う第２カバーと、が設けられている請求項６に記載の腰掛。
【請求項８】
前記座部及び前記背凭れ部の少なくとも一方の内部には、両端部が前記恒温庫の内部に連通された循環路が設けられている請求項１〜請求項７の何れか１項に記載された腰掛。
【考案の詳細な説明】
【技術分野】
【０００１】
本考案は、腰掛に関する。
【背景技術】
【０００２】
下記特許文献１には、テーブルが、収容部を有する保冷庫を備えており、収容部は、引出可能に構成されている。これにより、テーブルの周囲に配置された椅子（腰掛）に着座した着座者が、収容部を引出すことで、収容部内の食料品や飲料品を容易に取出すことができる。
【先行技術文献】
【特許文献】
【０００３】
【特許文献１】特開２０１１-３６５７９号公報
【考案の概要】
【考案が解決しようとする課題】
【０００４】
しかしながら、上記テーブルでは、着座者が収容部内の食料品や飲料品を取出すためには、テーブルの周囲に椅子を配置して、当該椅子に着座する必要がある。すなわち、椅子とテーブルとが離れた位置に配置された場合では、収容部内の食料品や飲料品を取出すことができない。このため、着座者に対する利便性を向上するという観点において、改善の余地がある。
【０００５】
本考案は、上記事実を考慮して、着座者に対する利便性を向上することができる腰掛を提供することを目的とする。
【課題を解決するための手段】
【０００６】
上記課題を解決する第１の態様の腰掛は、着座者の尻部を支持する座部と、前記座部の後側に設けられ、着座者の背部を支持する背凭れ部と、収容対象物を収容する収容室と、作動することで前記収容室内の温度を所定の温度に保つための恒温器と、を含んで構成された恒温庫と、を備えている。
【０００７】
第１の態様の腰掛では、恒温庫を備えており、恒温庫は、収容対象物を収容する収容室と、作動することで収容室内の温度を所定の温度に保つための恒温器と、を含んで構成されている。このため、腰掛が任意の位置に配置された場合でも、腰掛に着座した着座者が、収容室内から収容対象物を取出すことができる。これにより、着座者に対する利便性を向上することができる。
【０００８】
上記課題を解決する第２の態様の腰掛は、前記恒温庫が、前記座部の下側に配置され、前記収容室が、前方側へ移動可能に構成されると共に、上方側へ開放された箱状に形成されている。
【０００９】
第２の態様の腰掛では、座部の下側に配置された収容室を、前方側へ引き出すことで、収容室が上方側へ開放された状態となる。これにより、着座者が、収容室内の収容対象物を上方側から容易に取出すことができる。
【００１０】
上記課題を解決する第３の態様の腰掛は、前記座部の幅方向外側には、着座者の肘部を支持する肘掛部が設けられており、前記肘掛部の上部には、前記恒温庫を冷蔵庫又は保温庫として機能させるかを選択する選択ボタンが設けられている。
【００１１】
第３の態様の腰掛では、肘掛部の上部に設けられた選択ボタンを操作することで、恒温庫を冷蔵庫又は保温庫として機能させることができる。このため、着座者に対する利便性を一層向上することができる。
【００１２】
上記課題を解決する第４の態様の腰掛は、前記肘掛部の上部には、飲料用容器を保持するカップホルダが設けられており、前記カップホルダの底部が、冷却機能及び保温機能の少なくとも一方の機能を有するコースタによって構成されている。
【００１３】
第４の態様の腰掛では、カップホルダによって飲料用容器を保持したときには、コースタによって飲料用容器を冷却又は保温することができる。
【００１４】
上記課題を解決する第５の態様の腰掛は、前記肘掛部には、作動することで前記カップホルダを上下に昇降させる昇降機構が設けられている。
【００１５】
第５の態様の腰掛では、昇降機構の作動によってカップホルダを昇降させることが可能となるため、飲料用容器の高さに対応して、カップホルダを最適な高さに変更することができる。
【００１６】
上記課題を解決する第６の態様の腰掛は、前記昇降機構は、回転軸にピニオンが固定されたモータと、前記カップホルダと相対移動不能に設けられ、前記ピニオンと噛合されたラックと、前記肘掛部の上部に設けられ、前記モータを作動させるための操作ボタンと、を含んで構成されており、前記肘掛部の上部には、前記カップホルダと前記操作ボタンとの間を仕切る仕切壁が設けられている。
【００１７】
第６の態様の腰掛では、操作ボタンを操作することで、モータが駆動して、カップホルダの高さ位置が変更される。このため、カップホルダの高さ位置を自動で変更することができる。また、カップホルダと操作ボタンとの間には、仕切壁が設けられているため、仮に、カップホルダに保持された飲料用容器内の液体がこぼれた場合でも、操作ボタンが当該液体によって被水することを、仕切壁によって抑制することができる。
【００１８】
上記課題を解決する第７の態様の腰掛は、前記肘掛部の上部には、前記コースタを冷却機能又は保温機能に切換える切換ボタンが設けられると共に、前記切換ボタン、前記選択ボタン、及び前記操作ボタンが、前記カップホルダの後側に配置され、肘掛部の上部には、カップホルダを上方側から覆う第１カバーと、前記切換ボタン、前記選択ボタン、及び前記操作ボタンを上方側から覆う第２カバーと、が設けられている。
【００１９】
第７の態様の腰掛では、第１カバーによってカップホルダが上方側から覆われる。このため、カップホルダの不使用時において、カップホルダが視認されることを防止できる。これにより、腰掛の意匠性を向上することができる。また、第２カバーによって、切換ボタン、選択ボタン、及び操作ボタンが上方側から覆われる。このため、各ボタンの不使用時には、第２カバーによって着座者の肘部を支持することができる。これにより、例えば、カップホルダの使用時においても、肘掛部の機能を確保することができる。
【００２０】
上記課題を解決する第８の態様の腰掛は、前記座部及び前記背凭れ部の少なくとも一方の内部には、両端部が前記恒温庫の内部に連通された循環路が設けられている。
【００２１】
第８の態様の腰掛では、恒温庫内の空気を循環路に流して、座部や背凭れ部を冷やしたり暖めたりすることができる。これにより、着座者に対する快適性を向上することができる。
【考案の効果】
【００２２】
以上説明したように、本考案の腰掛によれば、着座者に対する利便性を向上することができる。
【図面の簡単な説明】
【００２３】
【図１】図１は、本実施の形態に係るソファーに適用された恒温庫の構成を説明するための前方から見た構成図である。
【図２】図２（Ａ）は、図１に示されるソファー全体を示す正面図であり、図２（Ｂ）は、図２（Ａ）に示されるソファーを上方側から見た平面図である。
【図３】図３は、図２（Ｂ）に示されるカップホルダ装置を、第１カバー及び第２カバーを開いた状態で拡大して示す平面図である。
【図４】図４は、図３に示されるカップホルダ装置におけるカップホルダを示す前方から見た断面図（図３の４−４線断面図）である。
【考案を実施するための形態】
【００２４】
以下、図面を用いて、本実施の形態に係る「腰掛」としてのソファー１０について説明する。なお、図面に適宜示される矢印ＵＰはソファー１０の上方側を示し、矢印ＦＲはソファー１０の前方側を示し、矢印ＲＨはソファー１０の右方側（幅方向一方側）を示している。そして、以下の説明で用いられる上下方向、前後方向、左右方向は、それぞれソファー１０の上下方向、前後方向、左右方向を示している。
【００２５】
（ソファーの全体構成について）
図２（Ａ）及び（Ｂ）に示されるように、ソファー１０は、ソファー１０の下端部を構成する支持プレート１２と、ソファー１０の下部を構成する恒温庫３０と、ソファー１０に着座する着座者の尻部を支持する座部１６と、着座者の背部を支持する背凭れ部１８と、を含んで構成されている。また、ソファー１０は、着座者の肘部を支持する左右一対の肘掛部２０を有しており、右側の肘掛部２０の上部には、カップホルダ装置５０が設けられている。以下、各構成について説明する。
【００２６】
（支持プレートについて）
支持プレート１２は、上下方向を板厚方向とした略矩形板状に形成されて、ソファー１０の下端部を構成している。この支持プレート１２の幅方向両端部には、下側へ突出され略円柱状の前後一対の脚部１４がそれぞれ設けられており、脚部１４が床などに載置される。これにより、支持プレート１２（すなわち、ソファー１０全体）が脚部１４によって下側から支持されている。そして、支持プレート１２の上面の幅方向中央部には、略直方体状の恒温庫３０が固定されている。なお、恒温庫３０については、後述する。
【００２７】
（座部について）
座部１６は、上下方向を厚み方向とした略直方体状に形成されて、恒温庫３０の上面に固定されている。この座部１６は、図示しないクッション材によって構成されており、当該クッション材が、表皮によって被覆されている。
【００２８】
（背凭れ部について）
背凭れ部１８は、前後方向を厚み方向とした略直方体状に形成されると共に、座部１６の後側において、起立した状態で配置されている。また、背凭れ部１８は、背凭れ部１８の骨格を構成する骨格部材（図示省略）を有しており、当該骨格部材が、支持プレート１２の後端部及び恒温庫３０の後面に固定されている。また、背凭れ部１８は、座部１６と同様に、クッション材を有しており、当該クッション材が、表皮によって被覆されている。
【００２９】
（肘掛部について）
肘掛部２０は、座部１６の幅方向両側にそれぞれ設けられ、左右方向を厚み方向とした略直方体状に形成されている。また、肘掛部２０は、肘掛部２０の骨格を構成する骨格部材（図示省略）を有しており、当該骨格部材が、支持プレート１２の幅方向外側部及び恒温庫３０の側面に固定されている。また、肘掛部２０は、座部１６及び背凭れ部１８と同様に、クッション材を有しており、当該クッション材が、表皮によって被覆されている。そして、肘掛部２０の上部によって、着座者の肘部を下方側から支持するようになっている。さらに、右側の肘掛部２０の上面には、後述するカップホルダ装置５０のホルダ本体５２を配置するための配置孔２０Ａが形成されており、配置孔２０Ａは、前後方向を長手方向とする略矩形状に形成されている。
【００３０】
（恒温庫について）
恒温庫３０は、左右一対の肘掛部２０の間で且つ座部１６と支持プレート１２との間に配置されている。すなわち、恒温庫３０は、座部１６を下側から支持する支持部材としても機能するように構成されている。図１に示されるように、恒温庫３０は、恒温庫３０の外郭を構成する筐体３２と、筐体３２の内部に配置された収容室３４と、恒温器３６と、を含んで構成されている。
【００３１】
筐体３２は、前方側へ開放された略有底矩形筒状に形成されており、筐体３２の下面が、図示しない位置において、支持プレート１２の上面に固定されている。また、筐体３２の内部には、左右の側壁において、後述する収容室３４をスライド可能（移動可能）に支持するためのスライドレール３２Ａが設けられており、スライドレール３２Ａは、前方から見て筐体３２の幅方向内側へ開放された略Ｃ字形状に形成されると共に、前後方向に延在されている。
【００３２】
収容室３４は、上方側へ開放された略矩形箱状に形成されて、筐体３２の内部に格納されている。この収容室３４の左右の側壁には、幅方向外側へ突出されたスライダ３４Ａが、固定されており、スライダ３４Ａの先端部が、上方及び下方へ延出されている。そして、スライダ３４Ａが、筐体３２のスライドレール３２Ａ内にスライド可能に保持されている。これにより、収容室３４は、筐体３２に対して前後方向にスライド可能（移動可能）に構成されている。そして、収容室３４の内部に、飲料品などの収容対象物を収容可能になっている。さらに、図２（Ａ）に示されるように、収容室３４の前壁は扉として構成されており、扉には、前方側へ突出された取手部３４Ｂが設けられている。そして、着座者が、取手部３４Ｂを把持して、収容室３４を前方側へ引き出すことで、収容室３４が上方側へ開放された状態で筐体３２に対して前方へ突出されるように構成されている。なお、収容室３４が筐体３２の内部に格納された状態では、収容室３４の扉が、筐体３２の開口部を気密状態で密閉するように構成されている。
【００３３】
図１に示されるように、恒温器３６は、筐体３２の上壁に設けられており、収容室３４内の温度を所定の温度に保つ機器として構成されている。恒温器３６は、一例として、ペルチェ素子を用いた恒温器として構成されている。すなわち、図示は省略するが、恒温器３６は、上下方向を板厚方向とし且つ上下に対向配置された一対の金属板と、一対の金属板の間に配置されたペルチェ素子と、を含んで構成されている。そして、恒温器３６の一方（下方側）の金属板が、収容室３４の格納状態における収容室３４内に配置される構成になっている。また、ペルチェ素子には、制御部８０が電気的に接続されており、制御部８０には、収容室３４内の温度を測定する温度センサ８２が電気的に接続されている。そして、収容室３４内の設定温度及び温度センサ８２による収容室３４内の測定温度に応じて、恒温器３６のペルチェ素子に流す電流を制御部８０が制御するように構成されている。さらに、本実施の形態では、恒温庫３０が、冷蔵庫又は保温庫の何れかに機能するように、収容室３４内の設定温度が２種類の温度に設定されており、恒温庫３０に対する冷蔵庫又は保温庫の何れかへの選択は、後述する選択ボタン３８（図３参照）によって行うように構成されている。
【００３４】
また、恒温器３６の上側には、座部１６の内部において、「循環路」としてのパイプ４０が設けられており、パイプ４０の両端部が、筐体３２の上壁に接続されて、パイプ４０の内部と筐体３２の内部とが連通されている。また、パイプ４０の内部には、ファン４２が設けられており、ファン４２は制御部８０に電気的に接続されている。このため、ファン４２が作動することで、収容室３４内の空気が、パイプ４０の一端部からパイプ４０内に流入されて、パイプ４０内を通過すると共に、パイプ４０の他端部から収容室３４内へ排出されるようになっている。これにより、パイプ４０によって座部１６を冷やしたり暖めたりすることができるようになっている。
【００３５】
（カップホルダ装置について）
図２（Ｂ）に示されるように、カップホルダ装置５０は、右側の肘掛部２０の上部に設けられている。このカップホルダ装置５０は、図３及び図４に示されるように、ホルダ本体５２と、カップホルダ５４と、昇降機構６４と、第１カバー７６と、第２カバー７８と、を含んで構成されている。
【００３６】
ホルダ本体５２は、略上下方向を板厚方向とし且つ前後方向に延在された略矩形板状に形成されている。また、ホルダ本体５２は、肘掛部２０の上面に対して一段下がった位置で且つ肘掛部２０の配置孔２０Ａに対応する位置に配置されて、ホルダ本体５２の外周部が肘掛部２０に固定されている。これにより、ホルダ本体５２が肘掛部２０の配置孔２０Ａから露出されている。
【００３７】
ホルダ本体５２の前後方向中間部には、仕切壁５２Ａが一体に形成されており、仕切壁５２Ａは、板厚方向を前後方向として、ホルダ本体５２から上方側へ突出されている。これにより、ホルダ本体５２の前部と後部とが仕切壁５２Ａによって仕切られている。また、仕切壁５２Ａの上面は、前方側から見た正面視で、肘掛部２０の上面と面一となるように上側へ若干凸となるように湾曲されている。
【００３８】
ホルダ本体５２の前部（仕切壁５２Ａに対して前側の部分）には、後述するカップホルダ５４を昇降可能に支持するためのホルダ支持部５２Ｂが一体に形成されており、ホルダ支持部５２Ｂは、ホルダ本体５２から下側へ突出された筒状に形成されると共に、平断面視で略Ｄ字形に形成されている。具体的には、ホルダ支持部５２Ｂの右側部分は、平面視で左側へ開放された略Ｕ字形を成しており、ホルダ支持部５２Ｂの左側部分は、平面視で右側へ開放された略半円状に形成されている。
【００３９】
一方、ホルダ本体５２の後部には、後述する操作ボタン７４を配置するための第１ボタン孔５２Ｃが貫通形成されている。さらに、ホルダ本体５２の後部には、第１ボタン孔５２Ｃの後側の位置において、後述する切換ボタン５８を配置するための第２ボタン孔５２Ｄ及び選択ボタン３８を配置するための第３ボタン孔５２Ｅが、貫通形成されており、第２ボタン孔５２Ｄ及び第３ボタン孔５２Ｅは、前後方向に並んで配置されている。
【００４０】
カップホルダ５４は、上方側へ開放された有底筒状に形成されており、カップホルダ５４の側壁が、ホルダ支持部５２Ｂの内周面と相似形を成すように形成されている。すなわち、カップホルダ５４は、平断面視で略Ｄ字形状に形成されている。また、カップホルダ５４は、ホルダ支持部５２Ｂの内部に配置されて、ホルダ支持部５２Ｂに対して上下方向に相対移動可能に構成されている。そして、カップホルダ５４は、内部に配置された飲料用容器Ｃを保持するようになっている。
【００４１】
図４に示されるように、カップホルダ５４の底部は、コースタ５６とされており、コースタ５６は、コースタ５６上に載置された飲料用容器Ｃを、冷却する機能及び保温する機能を有するように構成されている。そして、コースタ５６は、恒温器３６と同様に、一例として、ペルチェ素子を用いた構成とされている。すなわち、図示は省略するが、コースタ５６は、上下方向を板厚方向とし且つ上下に対向配置された一対の金属板と、一対の金属板の間に配置されたペルチェ素子と、を含んで構成されている。そして、コースタ５６の一方（上方側）の金属板が、コースタ５６の上面を構成し、当該上面の上に飲料用容器Ｃが載置される構成になっている。
【００４２】
また、コースタ５６のペルチェ素子には、制御部８０が電気的に接続されており、制御部８０には、コースタ５６を制御するための切換スイッチＳＷ１が電気的に接続されている。図３に示されるように、切換スイッチＳＷ１（図３では、不図示）は、切換ボタン５８によって操作されるように構成されており、切換ボタン５８は、前述したホルダ本体５２の第２ボタン孔５２Ｄ内に配置されると共に、左右方向に揺動可能にホルダ本体５２に支持されている。そして、切換ボタン５８が、左右方向の一方側へ操作されることで、制御部８０の制御によってコースタ５６が作動して、飲料用容器Ｃをコースタ５６によって冷却するようになっている。一方、切換ボタン５８が、左右方向の他方側へ操作されることで、制御部８０の制御によってコースタ５６が作動して、飲料用容器Ｃをコースタ５６によって保温（加熱）するようになっている。
【００４３】
また、図４にも示されるように、カップホルダ５４の内部には、飲料用容器Ｃを径方向外側から保持するホールドプレート６０が設けられており、ホールドプレート６０の上端部が、軸方向を前後方向として、カップホルダ５４に回転可能に支持されている。このホールドプレート６０の下部は、下端側へ開放された略半円状に切り欠かれたホールド部６０Ａとされている。さらに、ホールドプレート６０とカップホルダ５４の右側内周面との間には、圧縮バネ６２が設けられており、圧縮バネ６２の付勢力によってホールドプレート６０が左側へ付勢されている。これにより、カップホルダ５４内に配置された飲料用容器Ｃの外径寸法に対応して、ホールドプレート６０が図４の矢印Ａ方向側へ回転して、飲料用容器の側面が、ホールドプレート６０のホールド部６０Ａによって保持される構成になっている。なお、ホールドプレート６０を付勢するバネは、圧縮バネに限らず、例えば、トーションバネなどで構成してもよい。
【００４４】
図４に示されるように、昇降機構６４は、コースタ５６の下側に配置されると共に、昇降プレート６６と、ラック６８と、モータ７０と、操作ボタン７４（図３参照）と、を含んで構成されている。昇降プレート６６は、上下方向を板厚方向としてコースタ５６の下側に隣接配置されて、コースタ５６に固定されている。ラック６８は、昇降プレート６６と一体に形成されると共に、昇降プレート６６から下側へ突出されている。また、ラック６８は、図示しない位置において、上下方向に移動可能にホルダ本体５２に支持されている。さらに、ラック６８の左側面には、複数のラック歯６８Ａが形成されている。
【００４５】
モータ７０は、ラック６８に近接した位置に配置されると共に、図示しない位置において、ホルダ本体５２に固定されている。このモータ７０の回転軸には、ピニオン７２が固定されており、ピニオン７２の外周部には、ラック歯６８Ａに噛合されたピニオン歯７２Ａが形成されている。また、モータ７０は、制御部８０に電気的に接続されており、制御部８０の制御によって、モータ７０が駆動するようになっている。これにより、モータ７０が駆動されると、ラック６８がモータ７０に対して上下方向（図４の矢印Ｂ方向）に移動して、コースタ５６（すなわち、カップホルダ５４）が昇降するように構成されている。
【００４６】
図３に示されるように、操作ボタン７４は、前述したホルダ本体５２の第１ボタン孔５２Ｃ内に配置されると共に、左右方向に揺動可能にホルダ本体５２に支持されている。また、操作ボタン７４は、操作ボタン７４の下側に配置された操作スイッチＳＷ２（図４参照）を操作可能に構成されており、操作スイッチＳＷ２は、制御部８０に電気的に接続されている。そして、操作ボタン７４が、左右方向の一方側へ操作されることで、制御部８０の制御によってモータ７０が作動して、カップホルダ５４が上昇するようになっている。一方、操作ボタン７４が、左右方向の他方側へ操作されることで、制御部８０の制御によってモータ７０が作動して、カップホルダ５４が下降するようになっている。
【００４７】
また、前述したホルダ本体５２の第３ボタン孔５２Ｅ内には、選択ボタン３８が配置されており、選択ボタン３８は、左右方向に揺動可能にホルダ本体５２に支持されている。また、選択ボタン３８は、選択ボタン３８の下側に配置された選択スイッチＳＷ３（図４参照）を操作可能に構成されており、選択スイッチＳＷ３は、制御部８０に電気的に接続されている。そして、選択ボタン３８が操作されることで、恒温庫３０が、冷蔵庫又は保温庫として機能するように設定されている。具体的には、選択ボタン３８が、左右方向の一方側へ操作されることで、制御部８０の制御によって恒温器３６が作動して、恒温庫３０が冷蔵庫として機能するようになっている。一方、選択ボタン３８が、左右方向の他方側へ操作されることで、制御部８０の制御によって恒温器３６が作動して、恒温庫３０が保温庫として機能するようになっている。
【００４８】
第１カバー７６は、略上下方向を板厚方向とした矩形板状に形成されており、第１カバー７６の右端部が、ホルダ本体５２の前部における右側端部に、前後方向を軸方向として回動可能にされている。これにより、第１カバー７６をホルダ本体５２に対して開くことで、ホルダ本体５２の前部（すなわち、カップホルダ５４）が露出されて、カップホルダ５４が使用可能状態となるように構成されている。一方、第１カバー７６をホルダ本体５２に対して閉じることで、ホルダ本体５２の前部（すなわち、カップホルダ５４）が覆われて、カップホルダ５４の不使用時においてカップホルダ５４が視認されることを防止する構成になっている。なお、第１カバー７６は、前方側から見た正面視で、上方側へ凸となるように若干湾曲されており、第１カバー７６が閉じた状態では、第１カバー７６の上面が肘掛部２０の上面と面一になるように配置されている。
【００４９】
第２カバー７８は、第１カバー７６と同様に、略上下方向を板厚方向とした矩形板状に形成されており、第２カバー７８の右端部が、ホルダ本体５２の後部における右側端部に、前後方向を軸方向として回動可能にされている。すなわち、第１カバー７６と第２カバー７８との間には、仕切壁５２Ａが配置されている。そして、第２カバー７８をホルダ本体５２に対して開くことで、ホルダ本体５２の後部（すなわち、操作ボタン７４、切換ボタン５８、及び選択ボタン３８）が露出されて、操作ボタン７４、切換ボタン５８、及び選択ボタン３８が使用可能状態となるように構成されている。一方、第２カバー７８をホルダ本体５２に対して閉じることで、ホルダ本体５２の後部（すなわち、操作ボタン７４、切換ボタン５８、及び選択ボタン３８）が覆われて、カップホルダ５４の使用時においても、第２カバー７８によって着座者の肘部を支持することができるようになっている。
【００５０】
（作用及び効果）
次に、本実施の形態の作用及び効果について説明する。
【００５１】
上記のように構成されたソファー１０では、座部１６の下側に恒温庫３０が配置されている。そして、恒温庫３０を冷蔵庫又は保温庫として機能させるために、着座者が、選択ボタン３８を操作する。これにより、恒温庫３０が冷蔵庫又は保温庫として機能して、収容室３４内に収容された飲料品などの収容対象物が冷却又は保温される。また、このときには、収容室３４内の空気がパイプ４０内に流入されて、座部１６が冷やされ又は暖められる。
【００５２】
着座者が、収容室３４内の飲料品などの収容対象物を取出すときには、収容室３４の取手部３４Ｂを把持して、収容室３４を前方側へスライドさせる（引き出す）。これにより、収容室３４が、上方側へ開放された状態で、恒温庫３０に対して前方側へ突出される。よって、着座者が収容室３４内の収容対象物を取出すことができる。
【００５３】
また、着座者が、カップホルダ５４を使用するときには、第１カバー７６の左側端部を上方側へ持ち上げて、第１カバー７６を開く。これにより、カップホルダ５４が、露出されて、利用可能な状態になる。そして、カップホルダ５４内に飲料用容器Ｃを上方側から挿入すると、飲料用容器Ｃの外径寸法に対応して、カップホルダ５４のホールドプレート６０が、圧縮バネの付勢力に抗して、図４の矢印Ａ方向側へ回動する。そして、ホールドプレート６０のホールド部６０Ａが、飲料用容器Ｃの側面に当接されると共に、圧縮バネの付勢力によって、飲料用容器Ｃを保持する。
【００５４】
次に、カップホルダ５４に保持された飲料用容器Ｃを冷却又は保温（加熱）する場合には、着座者が、第２カバー７８の左側端部を上方側へ持ち上げて、第２カバー７８を開く。これにより、切換ボタン５８が、露出されて、操作可能な状態になる。そして、飲料用容器Ｃを冷却する場合には、切換ボタン５８を左右方向の一方側へ操作することで、制御部８０の制御によってコースタ５６が作動して、飲料用容器Ｃがコースタ５６によって冷却される。一方、飲料用容器Ｃを保温（加熱）する場合には、切換ボタン５８を左右方向の他方側へ操作することで、制御部８０の制御によってコースタ５６が作動して、飲料用容器Ｃがコースタ５６によって保温（加熱）される。
【００５５】
さらに、カップホルダ５４に保持された飲料用容器Ｃの高さ位置を変更する場合には、着座者が操作ボタン７４を操作する。具体的には、飲料用容器Ｃの高さ位置を高くする場合には、操作ボタン７４を左右方向の一方側へ操作する。これにより、昇降機構６４におけるモータ７０のピニオン７２が回動方向一方側へ回動すると共に、ピニオン７２に噛合されたラック６８が上側へ移動する。このため、カップホルダ５４及び飲料用容器Ｃが上昇する。一方、飲料用容器Ｃの高さ位置を低くする場合には、操作ボタン７４を左右方向の他方側へ操作する。これにより、昇降機構６４におけるモータ７０のピニオン７２が回動方向他方側へ回動すると共に、ピニオン７２に噛合されたラック６８が下側へ移動する。このため、カップホルダ５４及び飲料用容器Ｃが下降する。
【００５６】
以上説明したように、本実施の形態に係るソファー１０は、恒温庫３０を備えており、恒温庫３０は、上述のように、収容対象物を収容する収容室３４と、作動することで収容室３４内の温度を所定の温度に保つための恒温器３６と、を含んで構成されている。すなわち、恒温庫３０が、ソファー１０の一部を構成すると共に、ソファー１０に対して常に近接した位置に配置されている。このため、ソファー１０が任意の位置に配置された場合でも、ソファー１０に着座した着座者が、収容室３４内から飲料品などの収容対象物を取出すことができる。これにより、着座者に対する利便性を向上することができる。
【００５７】
また、恒温庫３０は、座部１６の下側に配置され、収容室３４が、前方側へ移動可能に構成されている。また、収容室３４は、上方側へ開放された箱状を成している。このため、座部１６の下側に配置された収容室３４を前方側へ引き出すことで、収容室３４が上方側へ開放された状態で恒温庫３０に対して前側へ突出される。これにより、着座者が、上方側から収容室３４内の収容対象物を容易に取出すことができる。
【００５８】
さらに、右側の肘掛部２０の上部には、選択ボタン３８が設けられており、選択ボタン３８を操作することで、恒温庫３０が冷蔵庫又は保温庫として機能する。このため、着座者に対する利便性を一層向上することができる。
【００５９】
また、肘掛部２０の上部には、カップホルダ５４が設けられており、カップホルダ５４の底部を構成するコースタ５６が、飲料用容器Ｃを冷却する機能及び保温する機能を有している。これにより、カップホルダ５４内の飲料用容器Ｃを冷却又は保温することで、飲料用容器Ｃ内の液体を冷却又は保温することができる。
【００６０】
さらに、カップホルダ装置５０は昇降機構６４を有しており、昇降機構６４の作動によって、カップホルダ５４が昇降される。このため、飲料用容器Ｃの高さに対応して、カップホルダ５４を最適な高さに変更することができる。
【００６１】
また、昇降機構６４では、操作ボタン７４を操作することで、モータ７０が駆動して、カップホルダ５４の高さ位置が変更される。このため、カップホルダ５４の高さ位置を自動で変更することができる。また、ホルダ本体５２には、カップホルダ５４と操作ボタン７４との間において、仕切壁５２Ａが設けられている。このため、仮に、カップホルダ５４に保持された飲料用容器Ｃ内の液体がこぼれた場合でも、操作ボタン７４が当該液体によって被水することを、仕切壁５２Ａによって抑制することができる。
【００６２】
さらに、ホルダ本体５２の前部には、カップホルダ５４が配置されると共に、第１カバー７６が回動可能に設けられている。このため、カップホルダ５４の不使用時において、第１カバー７６を閉状態にすることで、カップホルダ５４が視認されることを防止できる。これにより、ソファー１０の意匠性を向上することができる。
【００６３】
また、ホルダ本体５２の後部には、切換ボタン５８、選択ボタン３８、及び操作ボタン７４が配置されると共に、第２カバー７８が回動可能に設けられている。このため、各ボタンの不使用時には、第２カバー７８を閉状態にすることで、第２カバー７８によって着座者の肘部を支持することができる。これにより、カップホルダ５４の使用時においても、肘掛部２０における機能を確保することができる。換言すると、カップホルダ５４の使用時においても、肘掛部２０の機能が損なわれることを抑制できる。
【００６４】
さらに、座部１６の内部には、パイプ４０が設けられており、パイプ４０の両端部が恒温庫３０の内部に連通されている。このため、恒温庫３０（収容室３４）内の空気をパイプ４０に流して、座部１６を冷やしたり暖めたりすることができる。これにより、着座者に対する快適性を向上することができる。
【００６５】
なお、本実施の形態では、恒温庫３０が、冷蔵庫または保温庫に切換可能に構成されている。これに代えて、恒温庫３０を、冷蔵庫または保温庫に切換不能に構成してもよい。すなわち、恒温庫３０を、冷蔵機能のみ又は保温機能のみを有する恒温庫として構成してもよい。この場合には、選択ボタン３８を省略してもよい。
【００６６】
また、本実施の形態では、恒温庫３０が、座部１６の下側に配置されているが、恒温庫３０の位置はこれに限らない。例えば、恒温庫３０を肘掛部２０の幅方向外側に設けてもよいし、背凭れ部１８に設けてもよいし、座部１６の下側に配置された恒温庫３０が肘掛部２０まで入込むように設けてもよい。そして、恒温庫３０を肘掛部２０の幅方向外側に設ける場合や座部１６の下側に配置された恒温庫３０が肘掛部２０まで入込むように設ける場合には、収容室３４を筐体３２に対して相対移動不能に構成して、筐体３２を上方側へ開放された有底筒状に形成してもよい。また、筐体３２を幅方向外側へ開放された略矩形箱状に形成してよい。これらの場合には、筐体３２の開口部を開口させる扉を別途設けてもよい。また、恒温庫３０を背凭れ部１８に設ける場合には、着座者の手が、恒温庫３０の取手部３４Ｂに届くような位置に配置してもよい。
【００６７】
また、本実施の形態では、筐体３２は、前方側へ開放された略有底矩形筒状に形成されているが、上方側へ開放された有底筒状に形成してもよい。この場合、座部１６は、筐体３２および収容室３４の扉として機能し、開口部を気密状態で密閉するように構成されている。なお、収容室３４は筐体３２に対して相対移動不能に構成される。
【００６８】
また、本実施の形態では、恒温庫３０の恒温器３６が、ペルチェ素子を用いた構造になっているが、恒温器３６の構造はこれに限らない。例えば、恒温器３６を、ヒートポンプを用いた構造にしてもよい。
【００６９】
また、本実施の形態では、パイプ４０が座部１６の内部に配置されているが、パイプ４０を背凭れ部１８の内部に配置してもよいし、座部１６及び背凭れ部１８の内部に配置してもよい。これにより、背凭れ部１８を冷やしたり暖めたりすることができる。これにより、着座者に対する快適性を一層向上することができる。
【００７０】
また、本実施の形態では、カップホルダ５４のコースタ５６が、冷却機能または保温機能に切換可能に構成されている。これに代えて、コースタ５６を、冷却機能または保温機能に切換不能に構成してもよい。すなわち、コースタ５６を、冷却機能のみ又は保温機能のみを有するコースタとして構成してもよい。
【００７１】
また、本実施の形態では、昇降機構６４が、モータ７０と、ラック６８と、を含んで構成されており、モータ７０の駆動によってカップホルダ５４を昇降させる構成になっているが、昇降機構６４の構成はこれに限らない。例えば、昇降機構６４が、カップホルダ５４の上下方向の移動を規制するロック部と、カップホルダ５４を上方側へ付勢するバネと、を含んで構成されており、カップホルダ５４に対するロック部の規制を解除することで、カップホルダ５４をバネの付勢力によって上昇させる機構にしてもよい。
【００７２】
また、本実施の形態では、右側の肘掛部２０にカップホルダ装置５０が設けられているが、左側の肘掛部２０にカップホルダ装置５０を設けてもよいし、左右の肘掛部２０にカップホルダ装置５０をそれぞれ設けてもよい。
【００７３】
また、本実施の形態では、ホルダ本体５２の前部にカップホルダ５４が設けられており、ホルダ本体５２の後部に、操作ボタン７４、切換ボタン５８、及び選択ボタン３８が設けられている。これに代えて、右側の肘掛部２０にカップホルダ５４を設けると共に、左側の肘掛部２０に、操作ボタン７４、切換ボタン５８、及び選択ボタン３８を設けてもよい。
【００７４】
また、本実施の形態のカップホルダ装置５０では、第１カバー７６と第２カバー７８とが別部材として構成されている。これに代えて、第１カバー７６と第２カバー７８とを一体の部材として構成してもよい。すなわち、カップホルダ装置５０を、単一のカバーとして構成してもよい。この場合には、ホルダ本体５２の仕切壁５２Ａを省略してもよいし、仕切壁５２Ａの高さを本実施の形態に比べて低く設定して、仕切壁５２Ａとカバーとが干渉しないように構成してもよい。
【００７５】
また、本実施の形態では、「腰掛」としてソファー１０に恒温庫３０及びカップホルダ装置５０を適用した例を示したが、「腰掛」としては、座椅子など人が着座するものであればよい。
【符号の説明】
【００７６】
１０   ソファー（腰掛）
１６   座部
１８   背凭れ部
２０   肘掛部
３０   恒温庫
３４   収容室
３６   恒温器
３８   選択ボタン
４０   パイプ（循環路）
５２Ａ 仕切壁
５４   カップホルダ
５６   コースタ
５８   切換ボタン
６４   昇降機構
７０   モータ
７２   ピニオン
７４   操作ボタン
７６   第１カバー
７８   第２カバー
Ｃ     飲料用容器
【図１】
0003208089.tif 000003
【図２】
0003208089.tif 000004
【図３】
0003208089.tif 000005
【図４】
0003208089.tif 000006